(57)【要約】      （修正有）【課題】薄型のテレビジョン受信機に用いる段ボール箱は天中央緩衝材の固定のため、内蓋などの別部品を使用する必要があった。そのためコストがかかり、また作業工数も増えていた。また内フラップで天中央緩衝材を固定するには、大型の薄型のテレビジョン受信機に用いる段ボール箱は幅と奥行きの比率が大きく異なるため、内フラップを非常に長くしなければならず、生産効率がかなり悪くなりコストがかかる、または物流時や工場での梱包作業時の荷扱いが悪い。【解決手段】段ボール箱１０２の外フラップ１０６はＴの字型の切込み２０１、罫線２０２を有しており、罫線２０２を折り曲げることにより、折り曲げ部２０３で、天中央緩衝材５０５を固定することが可能となる。【選択図】図１
2008094413.tif 000002
【特許請求の範囲】
【請求項１】
外フラップに切込み部と切り出し部を設けた段ボール箱であって、前記切込み部を折り曲げることにより、緩衝材を固定することを可能としたことを特徴とする段ボール箱。
【請求項２】
前記切込み部はＴの字型としたことを特徴とする請求項１記載の段ボール箱。
【請求項３】
外フラップにＴの字型の切込み部を２箇所以上設けた段ボール箱であって、前記切込み部をそれぞれ折り曲げることにより、緩衝材を複数個固定することを特徴とする段ボール箱。
【請求項４】
外フラップに直線型の切込み部と切り出し部を設けた段ボール箱であって、前記切込み部をそれぞれ折り曲げることにより、緩衝材を固定することを特徴とする段ボール箱。
【請求項５】
段ボール箱の外フラップに直線型の切込み部を設けた段ボール箱であって、前記切込み部を折り曲げることにより、緩衝材を固定することを特徴とする段ボール箱。
【請求項６】
外フラップに直線型の切込み形状と切り出し部を２箇所以上設けた段ボール箱であって、前記切込み部をそれぞれ折り曲げることにより、緩衝材を複数個固定することを特徴とする段ボール箱。
【発明の詳細な説明】
【技術分野】
【０００１】
本発明はテレビジョン受信機などの電子機器などに利用される段ボール箱に関するものである。
【背景技術】
【０００２】
従来、液晶などの薄型テレビジョン受信機などを輸送する場合、天左右緩衝材の間に天中央緩衝材を使用している。
【０００３】
しかし、天中央緩衝材の固定のため、内蓋などの別部品を使用する必要があった。そのためコストがかかり、また作業工数も増えるという課題があった。
【０００４】
部品を増やさずに緩衝材を固定する方法として、内フラップを伸ばすことにより、緩衝材を固定する構成を開示している（例えば、特許文献１に記載）。即ち、図１１に示すように、外箱２の蓋部内２３Ａ、２３Ｃを緩衝部材３まで伸ばすことにより緩衝部材３を固定している。
【特許文献１】特開２００４−１０６９２３号公報
【発明の開示】
【発明が解決しようとする課題】
【０００５】
しかしながら、大型の薄型のテレビジョン受信機の段ボール箱は幅と奥行きの比率が大きく異なってくる。そのため、前記の従来の手法で天中央緩衝材を固定するには、内フラップを非常に長くしなければならず、物流時や工場での梱包作業時の荷扱いが悪く、また生産効率がかなり悪くなりコストがかかるという課題を有していた。即ち、図１２に示す天中央緩衝材１２０１まで内フラップ１２０２を伸ばした段ボール箱１２０３の形態となり、図１３に示すような畳み込んだ段ボール箱１２０３の形態となる。そのため、生産時において段ボール板から切り出す箱の取り数が少なくなり、単価の高騰につながる。また無駄な段ボール部分が多くなるため生産効率をも悪くさせる。
【０００６】
本発明は前記従来の課題を解決するもので、外フラップに切り出し部と切り欠き部を付け、切込みを入れ、折り曲げ、緩衝材を固定することで、フラップを必要以上に長くすることなく、物流時や工場での梱包作業時の荷扱いに問題の無く、また生産効率が向上しコストを削減することができる段ボール箱の提供を目的とする。
【課題を解決するための手段】
【０００７】
前記従来の課題を解決するために、第１の発明の段ボール箱は、外フラップに切込み部と切り出し部を設けた段ボール箱であって、前記切込み部を折り曲げることにより、緩衝材を固定することを可能としたことを特徴とする。この構成により、内フラップを長くすること無く、天中央緩衝材を固定することができる。
【０００８】
また、第１の発明の段ボール箱は、段ボール箱の外フラップに形成する切込み部をＴの字型としたことを特徴とする。この構成により、別部品の内蓋を設けること無く、天中央緩衝材を固定することができる。
【０００９】
また、第１の発明の発展としての段ボール箱は、外フラップにＴの字型の切込み部を２箇所以上設けた段ボール箱であって、前記切込み部をそれぞれ折り曲げることにより、緩衝材を複数個固定することを特徴とする。この構成により、内フラップを長くすること無く、また天中央緩衝材の間に別部品の内蓋を設けること無く、天中央緩衝材を複数固定することができる。
【００１０】
第２の発明の段ボール箱は、外フラップに直線型の切込み部と切り出し部を設けた段ボール箱であって、前記切込み部をそれぞれ折り曲げることにより、緩衝材を固定することを特徴とする。この構成により、内フラップを長くすること無く、天中央緩衝材を固定することができる。
【００１１】
また、第２の発明の段ボール箱は、段ボール箱の外フラップに直線型の切込み部を設けた段ボール箱であって、前記切込み部を折り曲げることにより、緩衝材を固定することを特徴とする。この構成により、梱包時の外フラップ間に隙間や孔を有することなく、梱包することができる。
【００１２】
また、第２の発明の発展としての段ボール箱は、外フラップに直線型の切込み形状と切り出し部を２箇所以上設けた段ボール箱であって、前記切込み部をそれぞれ折り曲げることにより、緩衝材を複数個固定することを特徴とする。この構成により、内フラップを長くすること無く、また天中央緩衝材の間に別部品の内蓋を設けること無く、天中央緩衝材を複数固定することができる。
【発明の効果】
【００１３】
本発明の段ボール箱によれば、薄型テレビジョン受信機の段ボール箱のように幅と奥行きの比率が非常に大きくても、内フラップを延長せずに天緩衝材を固定することができるため、無駄なく最適な段ボール箱の生産効率となる。
【００１４】
本発明の段ボール箱によれば、天中央緩衝材が複数個有するときでも、内蓋などの別部品を使用する必要なく緩衝材を固定することができる。
【発明を実施するための最良の形態】
【００１５】
以下本発明を実施するための最良の形態について、図面を参照しながら説明する。
【００１６】
（実施の形態１）
図１は本発明の実施の形態１において外フラップに天中央緩衝材を挟むための切込みを入れた段ボール箱の斜視図である。また、図２は図１を構成する段ボール箱の外フラップの中央部で天中央緩衝材を固定する部分の拡大図、図３は図１を構成する段ボール箱の断面図、図４は図１を構成する段ボール箱を畳み込んだ状態にした図である。
【００１７】
図１において、テレビジョン受信機１０１は、段ボール箱１０２、底緩衝材１０３、天左右緩衝材１０４、天中央緩衝材１０５により梱包されている。その際、段ボール箱１０２の外フラップ１０６は切り出し部１０７を外フラップ１０８は切り欠き部１０９を有している。
【００１８】
図２において、外フラップ１０８は、Ｔの字型の切込み２０１と罫線２０２を有している。外フラップ１０８は罫線２０２を折り曲げることにより、折り曲げ部２０３と空間の孔２０４を有する。
【００１９】
図３において、テレビジョン受信機１０１は、段ボール箱１０２、底緩衝材１０３、天中央緩衝材１０５とで断面形状となっている。その際、段ボール箱１０２の外フラップ１０６は切り出し部１０７、外フラップ１０８は折り曲げ部２０３を有している。
【００２０】
図４において、段ボール箱１０２は、Ｔの字型の切込み２０１と罫線２０２、切り出し部１０７と罫線４０１、切り欠き部１０９を有している。
【００２１】
図１の至図３においてテレビジョン受信機１０１は、段ボール箱１０２、底緩衝材１０３、天中央緩衝材１０５により断面形状となり梱包されている。その際、段ボール箱の外フラップ１０６は切り出し部１０７を有し、外フラップ１０８はＴの字型の切込み２０１と罫線２０２を有している。
【００２２】
かかる構成によれば、外フラップ１０８は、Ｔの字型の切込み２０１を罫線２０２から折り曲げることにより、折り曲げ部２０３を有する。その際、段ボール箱の外フラップ１０８は折り曲げ部２０３により天中央緩衝材１０５を挟み込むことで固定が可能となり、また切り出し部１０７を有する外フラップ１０６で外フラップ１０８を覆い隠し、切り欠き部１０９に挿入することで折り曲げ部２０３の空間の孔２０４を埋めることが可能となる。
【００２３】
本実施の形態により、図４に示すような畳み込んだ状態の段ボール箱１０２となり、図１３とのフラップの長さの関係から、無駄な部分の段ボールの使用がなく、効果として生産効率が良くなる。
【００２４】
なお、本実施の形態では天中央緩衝材を一つとしたが、図５で示す複数の緩衝材の場合にも、各天中央緩衝材の中間に別の内蓋を設けることなく、位置を固定し梱包できるという効果がある。
【００２５】
（実施の形態２）
図６は本発明の実施の形態２において外フラップに切り出し部を設けた段ボール箱の斜視図である。また、図７は図６を構成する段ボール箱の外フラップの中央部で天中央緩衝材を固定する部分の拡大図、図８は図６を構成する段ボール箱の断面図、図９は図６を構成する段ボール箱を畳み込んだ状態にした図である。
【００２６】
図６において、テレビジョン受信機６０１は、段ボール箱６０２、底緩衝材６０３、天左右緩衝材６０４、天中央緩衝材６０５により梱包されている。その際、段ボール箱６０２の外フラップ６０６は切り出し部６０７を有している。
【００２７】
図７において、外フラップ６０６は、切込み７０１と罫線７０２を有している。外フラップ６０６は罫線７０２を折り曲げることにより、切り出し部６０７は折り曲げ部７０３となる。
【００２８】
図８において、テレビジョン受信機６０１は、段ボール箱６０２、底緩衝材６０３、天中央緩衝材６０５とで断面形状となっている。その際、段ボール箱６０１の外フラップ６０６は折り曲げ部７０３を有している。
【００２９】
図９において、段ボール箱６０２は、切込み７０１と罫線７０２、切り出し部６０７を有している。
【００３０】
図６の至図８においてテレビジョン受信機６０１は、段ボール箱６０２、底緩衝材６０３、天中央緩衝材６０５とで断面形状となり梱包されている。その際、段ボール箱６０２の外フラップ６０６は切込み７０１と罫線７０２を有している。
【００３１】
かかる構成によれば、外フラップ６０６は、切込み７０１を罫線７０２から折り曲げることにより、切り出し部６０７は折り曲げ部７０３を有する。その際、段ボール箱の外フラップ６０６は折り曲げ部７０３により天中央緩衝材６０５を挟み込むことで固定が可能となり、切込み７０１により、外フラップ６０６間が膨らむことなく、また隙間を有することなく梱包することが可能となる。
【００３２】
本実施の形態により、図９に示すような畳み込んだ状態の段ボール箱６０２となり、図１３とのフラップの長さの関係から、無駄な部分の段ボールの使用がかなりなく、効果として生産効率がさらに良くなる。
【００３３】
なお、本実施の形態では天中央緩衝材を一つとしたが、図１０で示す複数の緩衝材の場合にも、各天中央緩衝材の中間に別の内蓋を設けることなく、位置を固定し梱包できるという効果がある。
【産業上の利用可能性】
【００３４】
本発明にかかる段ボール箱は、部品点数を増やす事無く、緩衝材を固定できるので、プラズマなど大型の薄型テレビジョン受信機の段ボール箱として有用である。
【図面の簡単な説明】
【００３５】
【図１】本発明の実施の形態１における段ボール箱の斜視図
【図２】（ａ）本発明の実施の形態１における外フラップの一例を示す図（ｂ）本発明の実施の形態１における外フラップの折り曲げ時の一例を示す図
【図３】本発明の実施の形態１における外フラップの一例を示す梱包状態の断面図
【図４】本発明の実施の形態１における外フラップの一例を示す段ボール箱の畳み込んだ状態にした図
【図５】本発明の実施の形態１における天中央緩衝材が複数存在するときの段ボール箱の斜視図
【図６】本発明の実施の形態２における段ボール箱の斜視図
【図７】（ａ）本発明の実施の形態２における外フラップの一例を示す図（ｂ）本発明の実施の形態２における外フラップの折り曲げ時の一例を示す図
【図８】本発明の実施の形態２における外フラップの一例を示す梱包状態の断面図
【図９】本発明の実施の形態２における外フラップの一例を示す段ボール箱の畳み込んだ状態にした図
【図１０】本発明の実施の形態２において天中央緩衝材が複数存在するときの段ボール箱の斜視図
【図１１】従来の形態による緩衝材の固定を特徴とする段ボール箱の断面図
【図１２】従来の手法において内フラップを天中央緩衝材まで伸ばした段ボール箱の斜視図
【図１３】従来の手法において内フラップを天中央緩衝材まで伸ばした段ボール箱の畳み込んだ状態にした図
【符号の説明】
【００３６】
１０１    テレビジョン受信機
１０２    段ボール箱
１０３    底緩衝材
１０４    天左右緩衝材
１０５    天中央緩衝材
１０６    外フラップ
１０７    切り出し部
１０８    外フラップ
１０９    切り欠き部
２０１    Ｔの字型の切込み
２０２    罫線
２０３    折り曲げ部
２０４    孔
４０１    罫線
５０１    テレビジョン受信機
５０２    段ボール箱
５０３    底緩衝材
５０４    天左右緩衝材
５０５    天中央緩衝材
５０６    外フラップ
５０７    切り出し部
５０８    外フラップ
５０９    切り欠き部
６０１    テレビジョン受信機
６０２    段ボール箱
６０３    底緩衝材
６０４    天左右緩衝材
６０５    天中央緩衝材
６０６    外フラップ
６０７    切り出し部
７０１    切込み
７０２    罫線
７０３    折り曲げ部
１００１    テレビジョン受信機
１００２    段ボール箱
１００３    底緩衝材
１００４    天左右緩衝材
１００５    天中央緩衝材
１００６    外フラップ
１００７    切り出し部
１２０１    天中央緩衝材
１２０２    内フラップ
１２０３    段ボール箱
【図１】
2008094413.tif 000003
【図２】
2008094413.tif 000004
【図３】
2008094413.tif 000005
【図４】
2008094413.tif 000006
【図５】
2008094413.tif 000007
【図６】
2008094413.tif 000008
【図７】
2008094413.tif 000009
【図８】
2008094413.tif 000010
【図９】
2008094413.tif 000011
【図１０】
2008094413.tif 000012
【図１１】
2008094413.tif 000013
【図１２】
2008094413.tif 000014
【図１３】
2008094413.tif 000015